(57)【要約】【課題】本発明は、ドライブ装置をより薄型にすることができる。【解決手段】ドライブ装置は、光ディスクが挿入される方向の端部に回動軸を有するトラバースと、光ディスクが筐体に挿入されると、トラバースを光ディスクに近づけるよう回動させ、トラバースのターンテーブルに光ディスクを載置させる駆動部と、を備える。光ピックアップは、トラバースに設けられ、ベースに移動可能に設けられ、対物レンズを含む可動子と、可動子を駆動するアクチュエータと、ベースに設けられ、可動子又はアクチュエータを保護するカバー部材と、を備える。そしてカバー部材は、光ピックアップがトラバースに設けられ、かつ、ターンテーブルに光ディスクが載置された状態において、光ピックアップの対物レンズとトラバースの回動軸との間で、回動軸方向に対して光ディスクから徐々に遠ざかるような斜面を形成する。【選択図】図８
2012038384.tif 000002
【特許請求の範囲】
【請求項１】
光ディスクを挿入可能なドライブ装置に設けられる光ピックアップであって、
前記ドライブ装置は、
筐体と、
前記筐体に設けられ、前記光ディスクが挿入される方向の端部に回動軸を有するトラバースと、
前記光ディスクが前記筐体に挿入されると、前記トラバースを前記光ディスクに近づけるよう回動させ、前記トラバースのターンテーブルに前記光ディスクを載置させる駆動部と、
を備え、
前記光ピックアップは、前記トラバースに設けられ、
ベースと、
前記ベースに移動可能に設けられ、対物レンズを含む可動子と、
前記可動子を駆動するアクチュエータと、
前記ベースに設けられ、前記可動子又は前記アクチュエータを保護するカバー部材と、
を備え、
前記カバー部材は、
前記光ピックアップが前記トラバースに設けられ、かつ、前記ターンテーブルに光ディスクが載置された状態において、
前記光ピックアップの対物レンズと前記トラバースの回動軸との間で、前記回動軸方向に対して前記光ディスクから徐々に遠ざかるような斜面を形成する、
光ピックアップ。
【請求項２】
前記ドライブ装置は、前記光ディスクを筐体に挿入するディスクトレイをさらに備える、
請求項１に記載の光ピックアップ。
【請求項３】
前記ベースは、前記カバー部材が設けられる側に電気接点を有し、
前記カバー部材は、金属材料で構成され、前記電気接点を覆う位置に配置され、
前記光ピックアップは、前記電気接点と前記カバー部材との間に電気的接続を防止するための樹脂材料の絶縁シートをさらに備え、
前記カバー部材は、前記絶縁シートが設けられる位置に孔を形成している、
請求項１又は２に記載の光ピックアップ。
【請求項４】
前記カバー部材は、開口を有し、
前記カバー部材は、当該開口が、前記可動子の上部に位置するよう配置され、
当該開口には、前記光ディスク側への前記可動子の移動を規制するストッパーが形成されている、
請求項１〜３の何れか１項に記載の光ピックアップ。
【請求項５】
前記カバー部材は、前記アクチュエータの一部を覆うように配置される、
請求項１〜４の何れか１項に記載の光ピックアップ。
【請求項６】
前記カバー部材は、フッ素系樹脂塗料が塗布されている、
請求項１〜５の何れか１項に記載の光ピックアップ。
【発明の詳細な説明】
【技術分野】
【０００１】
本発明は、光ディスクを挿入可能なドライブ装置に関する。
【背景技術】
【０００２】
従来の特許文献１には、スロットイン方式のドライブ装置が開示されている。
【０００３】
特許文献１のドライブ装置は、トラバースを備える。そして、ドライブ装置は、光ディスクが挿入されると、トラバースを回動させて、トラバースのターンテーブルに光ディスクを載置させるようにしている（特許文献１の図１）。これによって、特許文献１では、従来のトラバースを昇降させる方式に対して、メカ構成を簡易にしている。
【０００４】
上記トラバースを回動させる構成は、現在、スロットイン方式のドライブ装置だけでなく、トレイ方式のドライブ装置にも採用されている。
【先行技術文献】
【特許文献】
【０００５】
【特許文献１】特開２００７−１２１９９号公報
【発明の概要】
【発明が解決しようとする課題】
【０００６】
本発明は、ドライブ装置をより薄型にすることのできる光ピックアップを提供することを目的とする。
【課題を解決するための手段】
【０００７】
本発明の態様は、光ディスクを挿入可能なドライブ装置に設けられる光ピックアップである。前記ドライブ装置は、筐体と、前記筐体に設けられ、前記光ディスクが挿入される方向の端部に回動軸を有するトラバースと、前記光ディスクが前記筐体に挿入されると、前記トラバースを前記光ディスクに近づけるよう回動させ、前記トラバースのターンテーブルに前記光ディスクを載置させる駆動部と、を備える。前記光ピックアップは、前記トラバースに設けられ、ベースと、前記ベースに移動可能に設けられ、対物レンズを含む可動子と、前記可動子を駆動するアクチュエータと、前記ベースに設けられ、前記可動子又は前記アクチュエータを保護するカバー部材と、を備える。そして前記カバー部材は、前記光ピックアップが前記トラバースに設けられ、かつ、前記ターンテーブルに光ディスクが載置された状態において、前記光ピックアップの対物レンズと前記トラバースの回動軸との間で、前記回動軸方向に対して前記光ディスクから徐々に遠ざかるような斜面を形成する。
【０００８】
このようにすれば、トラバースを回転させることにより光ディスクをターンテーブルに載置させるドライブ装置において、トラバースを回転させる際の光ディスクに対するカバー部材の位置を遠ざけることができる。
【発明の効果】
【０００９】
本発明によれば、トラバースの位置を、より光ディスクに近付けることができるようになるので、ドライブ装置をより薄型に構成することができる。
【図面の簡単な説明】
【００１０】
【図１】本実施の形態１に係るドライブ装置（ディスクローディング前）を示す概略図
【図２】本実施の形態１に係るドライブ装置（ディスクローディング途中）を示す概略図
【図３】本実施の形態１に係るドライブ装置（ディスクローディング後）を示す概略図
【図４】本実施の形態１に係るドライブ装置（ディスクローディング途中）の一部を示す斜視図
【図５】図４のＡ−Ａ断面図
【図６】本実施の形態１に係るドライブ装置（ディスクローディング後）の一部を示す斜視図
【図７】図６のＢ−Ｂ断面図
【図８】本実施の形態１に係る光ピックアップの斜視図
【図９】本実施の形態１に係る光ピックアップの一部分解斜視図
【図１０】本実施の形態１に係る光ピックアップの側面図
【図１１】本実施の形態１に係るトラバースの回動途中における光ピックアップと光ディスクの位置関係を示す図
【発明を実施するための形態】
【００１１】
本発明の一実施の形態を図面を参照しながら説明する。
（実施の形態１）
実施の形態１のドライブ装置３００を、図１〜１１を用いて説明を行なう。
［１．本実施の形態の概要］
ドライブ装置３００は、トラバース５００を備える。トラバース５００は、筐体３０１に回動軸２０６で回動可能に保持されている。トラバース５００は、光ディスク４００が挿入されると、トラバース５００を回動して、トラバース５００のターンテーブル２０１に光ディスク４００を載置させる。
【００１２】
このようにドライブ装置に採用される光ピックアップ１００として、本実施の形態１では、光ピックアップ１００にＡＣＴカバー１０１を設ける。そして、ＡＣＴカバー１０１は、対物レンズ１２１と回動軸２０６との間において、斜面１１３を構成する。この斜面１１３は、トラバース５００に光ピックアップ１００が設けられた状態で、かつ、ターンテーブル２０１に光ディスク４００が載置された状態において、回動軸２０６の方向に行くほど、前記光ディスク４００から遠ざかるように構成される。
【００１３】
これによって、光ディスク挿入時の光ディスク４００とＡＣＴカバー１０１の位置関係を遠ざけることができるので、ドライブ装置を構成する際により薄型にできる。
［２．ドライブ装置］
２−１  構成
図１にドライブ装置３００の概略図を示す。
【００１４】
ドライブ装置３００は、筐体３０１と、ディスクトレイ２０２と、トラバース５００と、を備える。
【００１５】
トラバース５００は、トラバースベース２０５と、シャフト２０３と、シャフト２０７と、スピンドルモータ２０４と、ターンテーブル２０１と、を備える。
【００１６】
トラバースベース２０５は、回動軸２０６で回動可能に、筐体３０１に設けられる。トラバースベース２０５は、ディスクトレイ２０２と機械的に関係しており、ディスクトレイ２０２が筐体内に収まると、トラバースベース２０５が図２のＢ方向に回動するように構成されている。
【００１７】
シャフト２０３及びシャフト２０７は、トラバースベース２０５に設けられる。シャフト２０３とシャフト２０７には、光ピックアップ１００が設けられるように構成されている。
【００１８】
スピンドルモータ２０４は、トラバースベース２０５に設けられる。スピンドルモータ２０４は、ターンテーブル２０１を回転駆動して、ターンテーブル２０１に載置された光ディスクを回転させることが可能である。
【００１９】
なお、図示しないが、ドライブ装置３００には制御基板が設けられ、制御基板は、光ピックアップ１００及びスピンドルモータ２０４等を制御して、光ディスク４００に記録された情報を読み出すことが可能である。
【００２０】
２−２  動作
図１、図２、図４、図５を用いて、光ディスク４００がターンテーブル２０１上に載置される前までの状態（クランプ前状態）を説明する。
【００２１】
図１で示すように、ドライブ装置３００からディスクトレイ２０２が突出した状態で光ディスク４００をディスクトレイ２０２に載置する。
【００２２】
この状態ではトラバースベース２０５は、端部近傍の回動軸２０６により、筐体３０１に対して傾いた状態にある（図１）。また光ピックアップ１００はターンテーブル２０１近傍に位置する。ここで、光ピックアップ１００をターンテーブル２０１近傍に位置させる理由は、ディスクトレイ２０２の挿入に対して、ディスクトレイ２０２と光ピックアップ１００との衝突を回避するためである。
【００２３】
次に光ディスク４００を載置したディスクトレイ２０２はドライブ装置３００の内部方向（矢印A方向）に進入動作していき、図２の状態となる。
【００２４】
図２に示すように、ディスクトレイ２０２がドライブ装置３００内部へ進入動作（矢印A方向）するのと機械的に連動し、トラバースベース２０５は回動軸２０６を中心に回動（矢印B方向）していく。ターンテーブル２０１および、光ピックアップ１００は、光ディスク４００に近づいていき、ターンテーブル２０１上にディスク４００が載置される直前の状態になっていく（図１１）。
【００２５】
なお、図４は、図２の状態のドライブメカ２００を示す図であり、ディスクトレイ２０２と、トラバースベース２０５と、シャフト２０３と、ターンテーブル２０１と、光ピックアップ１００を詳細図示したものである。図５は、図４に示す断面指示A-Aの断面図である。
【００２６】
次に、図３、図６、図７を用いて、光ディスク４００がターンテーブル２０１上に載置される状態（クランプ状態）を説明する。
【００２７】
上記で説明した図２の状態からの引き続き動作で、図３に示すように、光ディスク４００を載置したディスクトレイ２０２は、ドライブ装置３００の内部に格納される。並行して、トラバースベース２０５は回動軸２０６により回動を完了し、光ディスク４００はターンテーブル２０１上に載置される。これによって、光ピックアップ１００は光ディスク４００に対し、記録再生可能な位置となる。
【００２８】
なお、図６は、図３の状態のドライブメカ２００を示す図であり、ディスクトレイ２０２と、トラバースベース２０５と、シャフト２０３と、ターンテーブル２０１と、光ピックアップ１００を詳細図示したものである。図７は、図６に示す断面指示B-Bの断面図である。
［３．光ピックアップ］
３−１  構成
図８、図９、図１０を用いて、本実施の形態１に係る光ピックアップ１００の説明をする。
【００２９】
図８は光ピックアップ１００の全体を示す斜視図である。
【００３０】
光ピックアップ１００は、可動子１２２と、アクチュエータ部１２３と、ＡＣＴカバー１０１と、ベース１２４と、を備える。
【００３１】
可動子１２２は、対物レンズ１２４が設けられる。アクチュエータ部１２３は、可動子１２２を駆動する。ＡＣＴカバー１０１は、可動子１２２あるいはアクチュエータ部１２３を保護する部材である。ベース１２４は、半導体レーザをはじめとした電気部品および、対物レンズ１２１以外の光学部品および、その他機構部品等から成る。
【００３２】
前述のドライブ装置３００において光ピックアップ１００は、ベース１２４の主軸受け部１２４ａおよび１２４ｂ、副軸受け部１２４ｃによりシャフト２０３に対し嵌合、摺動する。
【００３３】
図９は光ピックアップ１００に対し、ＡＣＴカバー１０１と、ＡＣＴカバー１０１の下に配置された絶縁シート１０２を分解した斜視図である。
【００３４】
ＡＣＴカバー１０１には、斜面１１３が形成されている。この斜面１１３は、対物レンズ１２１から前述のトラバースベース２０５の回動軸２０６方向に対して光ディスク４００から遠ざかる方向への斜面である。すなわち、光ディスク４００の外周方向に向けて下降していく斜面である。
【００３５】
このように構成すれば、トラバースベース２０５を回動させることにより光ディスク４００をターンテーブル２０１に載置させるドライブ装置３００において、ドラバースベース２０５を回動させる際の光ディスク４００に対するＡＣＴカバー１０１の位置を遠ざけることができる。これによりトラバースベース２０５の位置を、より光ディスク４００に近づけることができるようになるので、ドライブ装置３００をより薄型化することができる。
【００３６】
またＡＣＴカバー１０１には、厚み０．０５ｍｍ以下の潤滑塗装が施されている。これは万が一、ＡＣＴカバー１０１と光ディスク４００が接触した時にでも、光ディスク４００への傷付を防止するためのものである。潤滑塗装材料は一般的には、フッソ系樹脂を成分に含む塗料である。本実施の形態では、潤滑塗装の色は黒系色としている。ＡＣＴカバー１０１の材料はステンレス（ＳＵＳ）を用いているため、潤滑塗装有無を容易に識別するためである。
【００３７】
本実施の形態では、ＡＣＴカバーは厚み０．１５ｍｍ程度の金属薄板で、かつ潤滑塗装としているが、設計スペースが許せば、潤滑塗装の替わりにシート類の貼付とすることもできる。さらには樹脂成形でのＡＣＴカバーとすることも可能である。
【００３８】
またＡＣＴカバー１０１には、対物レンズ１２１を含む可動子１２２の移動を規制するためのストッパー１１２が設けられている。これは、落下衝撃等が加わった時に、可動子１２２に対し通常の動作範囲以上の動作を制限することにより、可動子１２２を含むアクチュエータ部１２３を破壊から保護するためのものである。ストッパー１１２は、ＡＣＴカバー１０１の開口に設けられている。ＡＣＴカバー１０１の開口は、可動子１２２の上部に位置している。
【００３９】
またＡＣＴカバー１０１には、後述の絶縁シート１０２の位置に、孔１１１が設けられている。この孔１１１により絶縁シート１０２の貼り付け有無を確認することができ、貼り忘れを防止することができる。
【００４０】
さらにＡＣＴカバー１０１は、ディスク形態ブラシ付き回転式レンズクリーナーからのアクチュエータ保護という役割もある。
【００４１】
次に、絶縁シート１０２の説明をする。
【００４２】
本実施の形態でのベース１２４上には、フレキシブルプリント基板１０３を半田１０５で電気的に接続固定する領域がある。
【００４３】
一方、ＡＣＴカバー１０１は半田１０５上に位置する配置関係である。金属製のＡＣＴカバー１０１と半田１０５が接触すると、電気的接触により光ピックアップ１００としての機能が一部失われるため不具合が発生する。
【００４４】
従って、半田１０５の上に絶縁シート１０２を貼り付けることにより、ＡＣＴカバー１０１との電気的接触を防止することができ、光ピックアップ１００の機能を確保することができる。
【００４５】
絶縁シート１０２は電気的絶縁機能を有する樹脂系シートである。
【００４６】
図１０は、本実施の形態の設計的な一事例である。
【００４７】
ＡＣＴカバー１０１の上面はシャフト（主軸）中心より３．５５ｍｍに位置し、斜面１１３の開始位置は対物レンズ１２１の中心より６．１ｍｍである。また斜面１１３の角度は１０度である。
【００４８】
３−２  光ディスクと光ピックアップの関係
図１１に光ディスク４００と、ターンテーブル２０１と、光ピックアップ１００およびＡＣＴカバー１０１の位置関係を詳細に示す。
【００４９】
この図１１は図３の状態になる直前、すなわち、光ディスク４００がターンテーブル２０１に載置される直前の状態を示す。
【００５０】
ターンテーブル２０１が光ディスク４００と当接した時点では、光ディスク４００とＡＣＴカバー１０１との間には空間１＊＊がある設計としている。
【００５１】
この空間１＊＊は、ＡＣＴカバー１０１に斜面１１３を形成することにより確保することができる。
【００５２】
もし斜面１１３を形成しない場合は、破線１＊＊で示すような形状となり、ＡＣＴカバー１０１は光ディスク４００と衝突し、光ディスク４００へ傷をつけることになる。
【００５３】
以上のように、ＡＣＴカバー１０１に斜面１１３を形成することにより、ＡＣＴカバー１０１と光ディスク４００との衝突を防止し、光ディスク４００への傷付を防止することができる。
［４．まとめ］
本実施の形態の光ピックアップ１００は、トラバース５００（シャフト２０３及びシャフト２０７）に設けられる。光ピックアップ１００は、ベース１２４と、ベース１２４に移動可能に設けられ、対物レンズ１２１を含む可動子１２２と、可動子１２２を駆動するアクチュエータ部１２３と、ベース１２４に設けられ、可動子１２２又はアクチュエータ部１２３を保護するＡＣＴカバー１０１と、を備える。ＡＣＴカバー１０１は、光ピックアップ１００がトラバース５００に設けられ、かつ、ターンテーブル２０１に光ディスク４００が載置された状態において、対物レンズ１２１と回動軸２０６との間で、回動軸２０６方向に対して光ディスク４００から徐々に遠ざかるような斜面１１３を形成する。
【００５４】
このようにすれば、トラバースを回転させることにより光ディスクをターンテーブルに載置させるドライブ装置において、トラバースを回転させる際の光ディスクに対するカバー部材の位置を遠ざけることができる。これによって、トラバースの位置を、より光ディスクに近付けることができるようになるので、ドライブ装置をより薄型に構成することができる。
【００５５】
また、より好ましくは、ベース１２４は、ＡＣＴカバー１０１が設けられる側に半田１０５を有する。そしてＡＣＴカバー１０１は、金属材料で構成され、半田１０５を覆う位置に配置される。さらに、光ピックアップ１００は、半田１０５とＡＣＴカバー１０１との間に電気的接続を防止するための樹脂材料の絶縁シート１０２をさらに備える。加えて、ＡＣＴカバー１０１は、絶縁シート１０２が設けられる位置に孔１１１を形成している。
【００５６】
このようにすれば、絶縁シートの貼り忘れを、ＡＣＴカバーがベースに設けられた状態であっても確認することができる。
【００５７】
さらに、より好ましくは、ＡＣＴカバー１０１は、開口を有し、開口は、可動子１２２の上部に位置する。そして開口には、光ディスク４００側への可動子１２２の移動を規制するストッパー１１２が形成されている。
【００５８】
このようにすれば、ドライブ装置が落下し、ドライブ装置自身に衝撃が加わった場合において、可動子に対し光ディスク方向に力が加わった場合であっても、可動子の移動を規制できる。これによって、可動子に対し光ディスク方向に大きな力が加わった場合であっても、可動子を保持するワイヤが破損してしまうといったことを軽減できる。
【００５９】
加えて、より好ましくは、ＡＣＴカバー１０１は、アクチュエータ部１２３の一部を覆うように配置される。
【００６０】
このようにすれば、レンズクリーナーによる接触等からアクチュエータ部を保護できる。
【００６１】
また、より好ましくは、ＡＣＴカバー１０１は、フッ素系樹脂塗料が塗布されている。
【００６２】
このようにすれば、光ディスクがＡＣＴカバー１０１に接触した場合であっても、光ディスクの傷つきを軽減できる。
（他の実施の形態）
本発明の実施の形態として、実施の形態１を例示した。しかし、本発明はこれには限らない。そこで、本発明の他の実施の形態を以下まとめて説明する。なお、本発明は、これらには限定されず、適宜修正された実施の形態に対しても適用可能である。
【００６３】
本実施の形態１では、トレイ方式のドライブ装置に適用した例で説明を行なった。しかし、これに限られず、スロットイン方針のドライブ装置に適用可能である。
【産業上の利用可能性】
【００６４】
本発明は、光ディスクを挿入可能なドライブ装置を備えるテレビ受像機、光ディスク再生装置、光ディスク記録装置等に設けられる光ピックアップに適用可能である。
【符号の説明】
【００６５】
１００    光ピックアップ
１０１    ＡＣＴカバー（アクトカバー）
１０２    絶縁シート
１０３    フレキシブルプリント基板（ＦＰＣ）
１０５    半田
１１１    孔
１１２    ストッパー
１１３    斜面
１２１    対物レンズ
１２２    可動子
１２３    アクチュエータ部
１２４    ベース
１２４ａ    主軸受け部
１２４ｂ    主軸受け部
１２４ｃ    副軸受け部
２００    ドライブメカ
２０１    ターンテーブル
２０２    ディスクトレイ
２０３    シャフト（主軸）
２０４    スピンドルモータ
２０５    トラバースベース
２０６    回動軸
【図１】
2012038384.tif 000003
【図２】
2012038384.tif 000004
【図３】
2012038384.tif 000005
【図４】
2012038384.tif 000006
【図５】
2012038384.tif 000007
【図６】
2012038384.tif 000008
【図７】
2012038384.tif 000009
【図８】
2012038384.tif 000010
【図９】
2012038384.tif 000011
【図１０】
2012038384.tif 000012
【図１１】
2012038384.tif 000013